(57)【要約】【課題】表示画面の大きさ切り替えに、容易かつ柔軟に、しかも低コストで対応することのできる表示装置を提供する。【解決手段】平面状の表示面を有する表示パネル２と、前記表示面に対応する開口５を有する矩形枠状の画枠フレーム４とを備える表示装置１において、前記画枠フレーム４に装着される板状のマスクプレート６を備える。そして、前記マスクプレート６の前記画枠フレーム４への装着有無または装着位置の切り替えによって当該画枠フレーム４における前記開口５の大きさが可変するように、前記表示装置１を構成する。【選択図】図１
2008244681.tif 000002
【特許請求の範囲】
【請求項１】
平面状の表示面を有する表示パネルと、
前記表示面に対応する開口を有する矩形枠状の画枠フレームと、
前記画枠フレームに装着される板状のマスクプレートとを備え、
前記マスクプレートの前記画枠フレームへの装着有無または装着位置の切り替えによって当該画枠フレームにおける前記開口の大きさが可変するように構成されている
ことを特徴とする表示装置。
【請求項２】
前記マスクプレートの装着有無または装着位置の切り替えによって前記開口のアスペクト比が可変するように構成されている
ことを特徴とする請求項１記載の表示装置。
【請求項３】
前記画枠フレームには、前記マスクプレートの装着箇所に当該マスクプレートが嵌合する段差部が形成されている
ことを特徴とする請求項２記載の表示装置。
【発明の詳細な説明】
【技術分野】
【０００１】
本発明は、表示装置に関する。
【背景技術】
【０００２】
近年、液晶ディスプレイ（ＬＣＤ）や有機エレクトロルミネッセンス（ＥＬ）ディスプレイ等のフラットパネルディスプレイと呼ばれる表示装置が広く普及している。
このような表示装置に対しては、その表示画面のアスペクト比の可変設定が求められる場合がある（例えば、特許文献１参照）。ＮＴＳＣ方式やＰＡＬ方式等の標準的なテレビジョン方式ではアスペクト比４：３であり、ハイビジョン放送や地上波デジタル放送等ではアスペクト比１６：９であり、また印刷出力関係等におけるモニタ表示ではアスペクト比１６：１０であるといったように、表示装置の用途によっては、当該用途に適したアスペクト比が異なるからである。
【０００３】
【特許文献１】特開平８−９８０９４号公報
【発明の開示】
【発明が解決しようとする課題】
【０００４】
表示画面のアスペクト比の切り替えは、画像信号の制御のみによって対応することも可能である。ところが、その場合には、例えば横長のアスペクト比に対応するときに、表示画面の上下に画像信号のない部分（黒く表示される部分）が存在することになり、その部分での外光反射による画面視認性の低下や表示装置としての質感の低下等を招いてしまうことが考えられる。
【０００５】
このことから、表示装置の中には、例えば図３に示すように、表示装置本体１１の表示面側を覆う「ベゼル」と呼ばれる画枠フレーム１２ａ，１２ｂを取り替え可能に構成するとともに、当該画枠フレーム１２ａ，１２ｂとして対応アスペクト比の異なるものを複数用意しておき、当該表示装置の用途に適した画枠フレーム１２ａ，１２ｂを選択的に取り付けて使用する、というものがある。このような構成によれば、アスペクト比切り替えによって表示画面の上下に黒く表示される部分が存在しても、その部分が当該アスペクト比に対応する画枠フレーム１２ａ，１２ｂによって覆い隠されるからである。
【０００６】
しかしながら、上述した構成の表示装置では、表示画面のアスペクト比切り替えに対応するために、アスペクト比が異なる複数の画枠フレーム１２ａ，１２ｂを予め用意しておく必要がある。そのために、表示画面のアスペクト比切り替えに対応しない場合に比べて、当該画枠フレーム１２ａ，１２ｂの作製のための金型費や材料費等が複数倍になってしまい、表示装置のコスト増の要因となるおそれがある。また、用意した画枠フレーム１２ａ，１２ｂが対応するアスペクト比以外のアスペクト比には、必ずしも適切に対応し得るとは言えず、結果としてアスペクト比切り替えの汎用性に欠けたものとなるおそれがある。
【０００７】
そこで、本発明は、表示画面の大きさ切り替えに、容易かつ柔軟に、しかも低コストで対応することのできる表示装置を提供することを目的とする。
【課題を解決するための手段】
【０００８】
本発明は、上記目的を達成するために案出された表示装置で、平面状の表示面を有する表示パネルと、前記表示面に対応する開口を有する矩形枠状の画枠フレームと、前記画枠フレームに装着される板状のマスクプレートとを備え、前記マスクプレートの前記画枠フレームへの装着有無または装着位置の切り替えによって当該画枠フレームにおける前記開口の大きさが可変するように構成されていることを特徴とする。
【０００９】
上記構成の表示装置によれば、表示パネルの表示面におけるアスペクト比の切り替えには、画枠フレームにおける開口の大きさを可変させて対応するが、その開口の大きさがマスクプレートの画枠フレームへの装着有無または装着位置の切り替えによって可変するので、画枠フレーム自体の取り替えを要することなく、当該画枠フレームへのマスクプレートの装着有無または装着位置を切り替えるだけで、対応し得るようになる。
【発明の効果】
【００１０】
本発明に係る表示装置では、画枠フレームへのマスクプレートの装着有無または装着位置を切り替えるだけで、当該画枠フレームにおける開口の大きさが可変するので、例えば表示パネルの表示面におけるアスペクト比の切り替えにも、従来に比べて容易に対応することができる。また、画枠フレーム自体の取り替えを要することがないので、従来に比べて金型費や材料費等を抑制することができ、これにより表示装置のコスト増を抑えることができる。さらには、例えば複数種類のマスクプレートを用意しておけば、様々な開口の大きさにも対応することが可能となるので、当該開口の大きさ可変の柔軟性を十分に確保できる。しかも、構造としてシンプルであるので、汎用性の高さを活かして他モデルへの設計流用を行うことも容易である。
【発明を実施するための最良の形態】
【００１１】
以下、図面に基づき本発明に係る表示装置について説明する。
【００１２】
図１は、本発明に係る表示装置の概略構成例を示す斜視図である。
図１（ａ）に示すように、表示装置１は、表示パネル２が筐体３内に収納されるとともに、その前面側（図中手前側）を覆うようにベゼルと呼ばれる画枠フレーム４が配されて構成されたものである。
【００１３】
表示パネル２は、例えば液晶表示パネルからなるもので、矩形平面状の表示面を有し、その表示面を用いて動画または静止画の表示出力を行うものである。ただし、表示パネル２は、平面状の表示面を有して動画または静止画の表示出力を行うものであれば、有機ＥＬパネル、プラズマパネル、陰極線管等からなるものであってもよい。この表示パネル２の詳細構成およびその動作制御手法については、従来と同様であるため、ここではその説明を省略する。
【００１４】
画枠フレーム４は、例えば樹脂材料または金属材料によって成型されたもので、筐体３の外形形状に合致する外形形状を有し、かつ、表示パネル２における表示面に対応する開口５を有した矩形枠状に形成されたものである。ここで、「表示面に対応する」とは、当該表示面における画像表示可能領域に合致することを意味する。したがって、開口５は、表示パネル２での最大画像表示領域の大きさ（アスペクト比）に合致する横長矩形状に形成されたものとなる。なお、開口５は、光透過性を有したガラス板、アクリル樹脂板、ポリカーボネート板等の透明保護板（ただし不図示）に覆われていても構わない。
【００１５】
また、画枠フレーム４は、図１（ｂ）に示すように、当該画枠フレーム４における開口５を部分的に塞ぐマスクプレート６が装着可能に形成されている。
【００１６】
マスクプレート６は、例えば樹脂材料または金属材料によって、光を透過しない板状に成型されたもので、画枠フレーム４の裏面側（表示パネル２が配される側）から当該画枠フレーム４に着脱可能に装着されるようになっている。マスクプレート６の画枠フレーム４への装着は、ネジ等の締結具、磁石による磁力、面ファスナー、ナイロンリベット、バネ等の弾性体を用いたラッチ機構等といった公知技術を利用して行えばよい。これらの公知技術のいずれかを利用することにより、マスクプレート６は、画枠フレーム４への装着、または当該画枠フレーム４からの取り外しを、容易に行えるようになる。
【００１７】
つまり、マスクプレート６は、画枠フレーム４に対して着脱可能に構成されることで、画枠フレーム４への装着有無が切り替えられるようになっている。なお、ここでいう「装着有無の切り替え」には、マスクプレート６の装着と未装着とを切り替える場合に加えて、当該マスクプレート６が複数種類用意されているときにどの種類のものを装着するかを切り替える場合も含むものとする。
【００１８】
また、マスクプレート６は、画枠フレーム４への装着にあたり、その装着位置を切り替えられるように構成することも考えられる。例えば、画枠フレーム４への装着をネジ止めによって行う場合であれば、ネジ止め穴を長円状に形成するといった具合である。さらには、例えば、マスクプレート６を画枠フレーム４に公知技術を利用してスライド可能に装着し、必要なときにはマスクプレート６を引き出し、不要なときには画枠フレーム４に重なるように収納するといった態様で、当該マスクプレート６の装着位置を切り替え可能にすることも考えられる。
【００１９】
このように、画枠フレーム４への装着有無または装着位置が切り替えられるマスクプレート６は、上述したように、画枠フレーム４における開口５を部分的に塞ぐものである。したがって、マスクプレート６の装着有無または装着位置が切り替えられると、画枠フレーム４では、開口５の大きさが可変することになる。
【００２０】
マスクプレート６の画枠フレーム４への装着は、図１（ａ）または（ｂ）に示すように、横長矩形状の開口５の上側端および下側端に行うことが考えられる。このような装着を行えば、開口５の左右方向の幅は変わることなく上下方向の高さが変わるので、その結果として当該開口５のアスペクト比が可変することになる。つまり、マスクプレート６の装着有無または装着位置の切り替えによって、画枠フレーム４における開口５のアスペクト比が可変するのである。
【００２１】
その場合に、開口５の上側端および下側端に装着する各マスクプレート６は、それぞれ同一形状に形成されたものを、それぞれの天地方向を逆にした状態で用いることが考えられる。すなわち、同一形状のマスクプレート６を用いて開口５のアスペクト比を可変させ得るように、各マスクプレート６および当該マスクプレート６が装着される画枠フレーム４を構成する。このようにすれば、同一部品を複数用意すれば、開口５のアスペクト比を可変させ得るので、複数種類の部品を必要とする場合に比べて、その実現が容易かつ低コストなものとなる。
【００２２】
ここで、以上のように構成された表示装置１において、表示画面のアスペクト比の切り替えを行う場合の具体例を、アスペクト比１６：９とアスペクト比１６：１０とに選択的に対応する場合を例に挙げて説明する。
【００２３】
アスペクト比１６：９とアスペクト比１６：１０と選択的に対応する場合であれば、画枠フレーム４は、上下方向の高さが大きいアスペクト比１６：１０のときの表示パネル２での最大画像表示領域に合致するように、開口５の大きさが形成されているものとする。したがって、画枠フレーム４にマスクプレート６を装着することなく、その画枠フレーム４で表示パネル２の前面側を覆うようにすれば、表示装置１は、アスペクト比１６：１０で画像表示出力を行うものとなる。
【００２４】
その一方で、画枠フレーム４における開口５の上側端および下側端のそれぞれにマスクプレート６を装着すると、当該開口５は、マスクプレート６が装着された分だけその上下方向の高さが小さくなり（図１（ａ）中における斜線ハッチング部分参照）、アスペクト比１６：９に対応したものとなる。したがって、マスクプレート６を装着した状態の画枠フレーム４で表示パネル２の前面側を覆うようにすれば、表示装置１では、アスペクト比１６：９で画像表示出力を行う場合に、その横長のアスペクト比に対応すべく表示パネル２の表示面の上下に画像信号のない部分（黒く表示される部分）が存在していても、その部分がマスクプレート６によって覆い隠されることになる。つまり、表示パネル２の表示面上下における非画像信号部分がそのまま利用者に視認されることがなくなるので、当該非画像信号部分での外光反射による画面視認性の低下や、当該非画像信号部分が視認されることによる表示装置としての質感の低下等を招いてしまうことがない。
【００２５】
以上に説明したように、本実施形態における表示装置１では、表示パネル２の表示面におけるアスペクト比の切り替えには画枠フレーム４における開口５の大きさを可変させて対応するが、その開口５の大きさがマスクプレート６の画枠フレーム４への装着有無または装着位置の切り替えによって可変するようになっている。したがって、画枠フレーム４自体の取り替えを要することなく、当該画枠フレーム４へのマスクプレート６の装着有無または装着位置を切り替えるだけで、当該画枠フレーム４における開口５の大きさが可変するので、表示パネル２の表示面におけるアスペクト比の切り替えにも、従来に比べて容易に対応することができる。また、画枠フレーム４自体の取り替えを要することがないので、従来に比べて金型費や材料費等を抑制することができ、これにより表示装置１のコスト増を抑えることができる。
【００２６】
なお、ここでは、画枠フレーム４における開口５の上側端および下側端のそれぞれにマスクプレート６を装着して表示パネル２の表示面におけるアスペクト比の切り替えに対応する場合を例に挙げたが、アスペクト比切り替えに以外に開口５の大きさを可変させる必要がある場合にも、全く同様にしてマスクプレート６の装着有無または装着位置を切り替えればよい。アスペクト比切り替えに以外に開口５の大きさを可変させる必要がある場合としては、例えば表示面のサイズ切り替えが挙げられ、その場合には必要に応じて開口上下側端のみならず左右側端にもマスクプレート６が位置するようにすればよい。
【００２７】
また、マスクプレート６は、必ずしも一つの種類のみである必要はなく、予め複数種類を用意しておくことも考えられる。複数種類のマスクプレート６を用意しておけば、様々な開口５の大きさにも対応することが可能となるので、当該開口５の大きさ可変の柔軟性を十分に確保できるからである。つまり、例えばアスペクト比切り替えに対応する場合であれば１６：９と１６：１０のみならず４：３にも対応し得るといったように、アスペクト比切り替えの汎用性を十分に高めることができる。
【００２８】
しかも、本実施形態で説明した開口５の大きさ可変は、構造としてシンプルであるので、汎用性の高さを活かして他モデルへの設計流用を行うことも容易である。
【００２９】
ところで、画枠フレーム４における開口５の大きさ可変を、当該画枠フレーム４へのマスクプレート６の装着有無の切り替えによって行う場合には、マスクプレート６の装着有無の違いが画枠フレーム４と表示パネル２の表示面との間に隙間を発生させる要因となり得る。このような隙間の発生は、表示装置としての製品の品位を低下させることに繋がる。
【００３０】
そこで、本実施形態における表示装置１では、画枠フレーム４を、以下に述べるように形成することが考えられる。
図２は、本発明に係る表示装置の要部構成例を示す斜視図である。
【００３１】
例えば、画枠フレーム４へのマスクプレート６の装着無しの状態でアスペクト比１６：１０に対応し、マスクプレート６の装着有りの状態でアスペクト比１６：９に対応し、これらのうちマスクプレート６の装着有りの状態が他の状態に比べて使用頻度が高い場合を例に挙げる。このような場合には、図２に示すように、画枠フレーム４におけるマスクプレート６の装着箇所に、当該マスクプレート６が嵌合する段差部７を形成する。ここで、「嵌合」とは、形の合ったもの同士を嵌め合わせることを意味する。したがって、段差部７は、マスクプレート６の板厚と同じ寸法の段差を有して形成されることになる。
【００３２】
このような段差部７が形成されていれば、使用頻度が高いマスクプレート６の装着有りの状態では、画枠フレーム４と表示パネル２の表示面との間に隙間が発生することがないので、表示装置としての製品の品位が低下してしまうのを回避し得る。使用頻度が低いマスクプレート６の装着無しの状態では隙間が生じ得るが、使用頻度が低いことから製品の品位に与える影響は小さいと考えられ、また開口５を塞がないように切り欠き部が形成されたマスクプレートをめくら板として装着することで対処しても構わない。
【００３３】
また、段差部７は、マスクプレート６を装着する際の位置決め手段として利用することも考えられる。このようにすれば、マスクプレート６の装着を、容易かつ精度よく行うことができる。また、段差部７を位置決め手段として利用する場合において、画枠フレーム４に装着されるマスクプレート６が複数種類存在するときには、各マスクプレート６の板厚を相違させるとともに、当該段差部７を階段状に形成することが考えられる。
【００３４】
なお、本実施形態では、本発明の好適な実施具体例を説明したが、本発明はその内容に限定されるものではなく、その要旨を逸脱しない範囲で適宜変更することが可能である。例えば、本実施形態で挙げたアスペクト比の値等は、いずれも一具体例に過ぎず、これらに限定されないことは勿論である。
【図面の簡単な説明】
【００３５】
【図１】本発明に係る表示装置の概略構成例を示す斜視図であり、（ａ）は表示装置を前面側から見た図、（ｂ）は表示装置における画枠フレームを裏面側から見た図である。
【図２】本発明に係る表示装置の要部構成例を示す斜視図である。
【図３】従来における表示装置の概略構成例を示す斜視図である。
【符号の説明】
【００３６】
１…表示装置、２…表示パネル、３…筐体、４…画枠フレーム、５…開口、６…マスクプレート、７…段差部
【図１】
2008244681.tif 000003
【図２】
2008244681.tif 000004
【図３】
2008244681.tif 000005